(57)【特許請求の範囲】
【請求項１】
各々が適宜の厚さを有する面状蓋部及び面状底部の対応する内側面同士を貼り合わせてなるシート本体と、このシート本体における前記面状蓋部の内側面に形成された凹状の化粧料収容空間と、前記面状蓋部における切り込みにより画された舌状の摘み部とを備え、この摘み部を摘み上げることで化粧料を取り出し得る状態まで引き剥がすことを可能とされた化粧料シートであって、
前記シート本体が前記摘み部に係る位置で山折りに折り曲げられた状態で前記摘み部が前記面状蓋部から片持ち梁状に離れ、
前記化粧料収容空間は、前記山折りに係る山折り線を対称軸とする線対称に配置された一組の化粧料収容空間であり、
前記摘み部は、各々が、前記山折り線から相手方に係る前記化粧料収容空間の方向に交互に延出するように配置された一組の摘み部であることを特徴とする、
化粧料シート。
【請求項２】
前記化粧料収容空間が、
前記シート本体において縦方向に列状配置された複数の化粧料収容空間であり、
前記摘み部が、
前記各化粧料収容空間毎に設けられ、略同じ横方向に向かって延出するものとして縦方向に列状配置された複数の摘み部であり、
前記シート本体が前記各摘み部の配置方向に沿って各摘み部に係る位置で山折りに折り曲げられた状態で前記各摘み部が前記面状蓋部から片持ち梁状に離れることを特徴とする、
請求項１に記載の化粧料シート。
【請求項３】
前記面状底部が、
少なくとも二つ折り台紙における隣り合う一組の片部分であって一の片部分のみに化粧料収容空間の外周部となる貫通孔が設けられたものの他の片部分であり、
前記面状蓋部が、
前記一の片部分、及び、一の片部分の外側面に前記貫通孔を覆うように貼り付けられた透明フィルムからなるものであり、
前記切り込みが、
前記透明フィルムの外側面から前記一の片部分の内側面に達するものであることを特徴とする、
請求項１又は２のいずれか一項に記載の化粧料シート。
【請求項４】
前記シート本体は、
他の片部分の側縁部に連接され前記貫通孔を覆うように折り重ねることを可能とされた別の片部分を有していることを特徴とする、
請求項３に記載の化粧料シート。
【発明の詳細な説明】
【技術分野】
【０００１】
本発明は、主としてファンデーション、口紅、アイシャドウ、アイカラー、アイブロー等の化粧料の実物をサンプルとして収容する目的に用いられる化粧料シートに関する。
【背景技術】
【０００２】
従来の化粧料シートとしては、例えば各々が適宜の厚さを有する面状蓋部及び面状底部（面状底部は更に上下二部材から構成される）の対応する内側面同士を貼り合わせてなるシート本体と、シート本体における面状底部の内側面に形成された凹状の化粧料収容空間と、面状蓋部の部分として切れ目線により画された化粧料取り出し蓋であって舌状の摘み部を有するものと、を備えたものが開示されている（例えば、特許文献１参照）。
【特許文献１】特開平9−173137号公報
【発明の開示】
【発明が解決しようとする課題】
【０００３】
従来の化粧料シートは、化粧料取り出し蓋が切れ目線に沿って引き剥がされた場合に、化粧料は化粧料収容空間内から取り出し得る状態となるものである。
【０００４】
したがって、このような化粧料シートから化粧料を取り出すに当たって使用者は、舌状の摘み部を摘み上げることで化粧料取り出し蓋を引き剥がすという準備的操作を行うことが必要となる。
【０００５】
しかしながら、このような化粧料シートにあっては、舌状の摘み部が面状蓋部の部分として切れ目線により画されたものであり、その外側面が隣接する部分の外側面と面一となっている。
【０００６】
したがって、従来の化粧料シートにおける準備的操作においては、このような摘み部を摘み上げる操作を含むこととなり、相当な煩雑さ及び困難さを伴うこととなってしまう。
【０００７】
そこで、本発明の課題は、化粧料を取り出すに当たって必要となる準備的操作における煩雑さ及び困難さが相当に軽減されるように、使用者が摘み部を摘み上げる操作を容易かつ確実に行うことができる化粧料シートを提供することにある。
【課題を解決するための手段】
【０００８】
上記課題を解決するため、本発明に係る化粧料シートは、各々が適宜の厚さを有する面状蓋部及び面状底部の対応する内側面同士を貼り合わせてなるシート本体と、このシート本体における面状蓋部の内側面に形成された凹状の化粧料収容空間と、面状蓋部における切り込みにより画された舌状の摘み部とを備え、この摘み部を摘み上げることで化粧料を取り出し得る状態まで引き剥がすことを可能とされた化粧料シートであって、シート本体が摘み部に係る位置で山折りに折り曲げられた状態で摘み部が面状蓋部から片持ち梁状に離れ、化粧料収容空間は、山折りに係る山折り線を対称軸とする線対称に配置された一組の化粧料収容空間であり、摘み部は、各々が、山折り線から相手方に係る化粧料収容空間の方向に交互に延出するように配置された一組の摘み部であることを特徴とする、化粧料シート。
【０００９】
このような化粧料シートによれば、シート本体が摘み部に係る位置で山折りに折り曲げられた状態で摘み部が面状蓋部から片持ち梁状に離れるので、使用者は摘み部を摘み上げる操作を容易かつ確実に行うことが可能となる。
【００１０】
したがって、これによれば、化粧料を取り出すに当たって必要となる準備的操作における煩雑さ及び困難さを相当に軽減することが可能となる。
【００１１】
このような技術的手段が一のシート本体に複数の化粧料収容空間を有する場合において、化粧料を取り出すに当たって必要となる準備的操作をより効率的に実行することとして、かかる準備的操作における煩雑さ及び困難さをより軽減しようとする観点からすれば、化粧料収容空間が、シート本体において縦方向に列状配置された複数の化粧料収容空間であり、摘み部が、各化粧料収容空間毎に設けられ、略同じ横方向に向かって延出するものとして縦方向に列状配置された複数の摘み部であり、シート本体が各摘み部の配置方向に沿って各摘み部に係る位置で山折りに折り曲げられた状態で各摘み部が面状蓋部から片持ち梁状に離れることが好ましい。
【００１２】
また、二つ折り台紙及び透明フィルムの有効利用を図ることとして、製造の容易化に資するという観点からすれば、面状底部が、少なくとも二つ折り台紙における隣り合う一組の片部分であって一の片部分のみに化粧料収容空間の外周部となる貫通孔が設けられたものの他の片部分であり、面状蓋部が、一の片部分、及び、一の片部分の外側面に貫通孔を覆うように貼り付けられた透明フィルムからなるものであり、切り込みが、透明フィルムの外側面から一の片部分の内側面に達するものであることが好ましい。
【００１３】
この場合において、化粧料収容空間の外周部となる貫通孔を覆うことを可能とする部材を設けることとして、化粧料を可及的に保護しようとする観点からすれば、シート本体は、他の片部分の側縁部に連接され貫通孔を覆うように折り重ねることを可能とされた別の片部分を有していることが好ましい。
【発明の効果】
【００１４】
本発明に係る化粧料シートによれば、化粧料を取り出すに当たって必要となる準備的操作における煩雑さ及び困難さが解消されることとなる。
【発明を実施するための最良の形態】
【００１５】
以下、添付図面を参照して、本発明の実施の形態を詳細に説明する。
【００１６】
図１は本発明の一実施の形態に係る化粧料シートの開いた状態を示す平面図、図２は図１のＡ-Ａ断面図、図３は同化粧料シートの閉じた状態を示す斜視図、図４は図３のＡ-Ａ断面図、図５は同化粧料シートにおけるシート本体の山折りに折り曲げた状態を示す斜視図、図６は同化粧料シートにおける化粧料取り出し蓋の摘み部を摘み上げた状態を示す斜視図、図７は同化粧料シートの製造方法を説明するための平面図である。
【００１７】
これらの図において、符号１はシート本体、符号２は化粧料収容空間、符号３は化粧料取り出し蓋を示している。なお、これらの図において、図面の複雑化を避ける主旨から、化粧料それ自体の図示を省略している。
【００１８】
本実施の形態において、化粧料シートは、化粧料たる口紅の実物をサンプルとして収容すると共に店頭で配布したりダイレクトメール等によって配布したりする目的に用いられるものとして構成されている。
【００１９】
そして、この化粧料シートは、図１、図２及び図４に示すように、シート本体１と、化粧料収容空間２と、化粧料取り出し蓋３とを備えたものとして構成されている。
【００２０】
以下、これらの各構成要素についてさらに詳細に説明する。
【００２１】
（１）シート本体１
シート本体１は、図２及び図４に示すように、面状蓋部１１及び面状底部１２を備えたものとして構成されている。
【００２２】
具体的には、シート本体１は、これらの図に示すように、三つ折り台紙５１における隣り合う一組の片部分である一の片部分５１ａ及び他の片部分５１ｂの対応する内側面同士のみを接着剤層５２を介して貼り合わせてなるものと、他の片部分５１ｂの側縁部に連接され後述する貫通孔１０１を覆うように折り重ねることを可能とされた三つ折り台紙５１における余りの片部分である別の片部分５１ｃと、三つ折り台紙５１の外側面の全体に亘って貼り付けられた透明フィルム５３とからなっている。
【００２３】
ここで、三つ折り台紙５１の折り目には、容易に折り返すことが可能となるように、適宜筋押しやミシン目等の折り目線を設けてもよい。また、台紙の材質としては、通常の紙でも、プラスティックフィルムであってもよく、本実施の形態では、紙を採用している。
【００２４】
このように、シート本体１を他の片部分５１ｂの側縁部に連接され貫通孔１０１を覆うように折り重ねることを可能とされた別の片部分５１ｃを有するものとすることにより、別の片部分５１ｃによって面状蓋部１１の側から化粧料収容空間２を覆うことが可能となっており、これにより、化粧料を可及的に保護することが可能となっている。
【００２５】
ここで、三つ折り台紙５１は、図２及び図４に示すように、対応する内側面同士を貼り合わされた一組の片部分のうちの一の片部分５１ａのみに複数の貫通孔１０１が設けられたものとして構成されている。この複数の貫通孔１０１は、これらの図に示すように、各々が複数の化粧料収容空間２の各外周部となるものである（図１参照）。
【００２６】
すなわち、本実施の形態における面状底部１２は、図２及び図４に示すように、対応する内側面同士を貼り合わされた一組の片部分のうちの複数の貫通孔１０１が設けられていない他の片部分５１ｂと、三つ折り台紙５１の外側面に貼り付けられた他の片部分に係る透明フィルム５３ｂ（透明フィルム５３のうちの他の片部分５１ｂに貼り付けられた部分）とを備えている。
【００２７】
一方、面状蓋部１１は、これらの図に示すように、対応する内側面同士を貼り合わされた一組の片部分のうちの複数の貫通孔１０１が設けられている一の片部分５１ａと、三つ折り台紙５１の外側面に貼り付けられた一の片部分に係る透明フィルム５３ａ（透明フィルム５３のうちの一の片部分５１ａに貼り付けられた部分）とを備えている。
【００２８】
すなわち、面状蓋部１１は、これらの図に示すように、複数の貫通孔１０１が設けられた一の片部分５１ａの外側面にこれらの貫通孔１０１を覆うように一の片部分に係る透明フィルム５３ａが貼り付けられることにより、内側面に凹状の化粧料収容空間２が形成されたものとして構成されている。
【００２９】
このように、面状蓋部１１を貫通孔１０１が設けられた一の片部分５１ａ及び一の片部分に係る透明フィルム５３ａからなるものとすることにより、面状蓋部１１の内側面に凹状の化粧料収容空間２を形成するに当たって三つ折り台紙５１及び透明フィルム５３の有効利用を図ることが可能となっており、これにより、製造の容易化に資することが可能となっている。
【００３０】
このような面状蓋部１１及び面状底部１２は、各々が適宜の厚さを有するものであればよい。これは、面状蓋部１１にあっては凹状の化粧料収容空間２を形成するのに適合的である厚さとし、面状底部１２にあっては化粧料収容空間２の底部としての役割を果たすのに適合的である厚さとすることにより、口紅を収容するという本発明の基本的機能を担保することが可能な化粧料シートとするためである。したがって、このような機能を発揮するものであれば、本発明において三つ折り台紙５１（少なくとも二つ折り台紙であればよい）における隣り合う一組の片部分の対応する内側面同士を貼り合わせてなるものを用いたシート本体１の代わりに、各一枚からなる一組の台紙の対応する内側面同士を貼り合わせてなるものを用いたシート本体その他のシート本体を用いても差し支えない。
【００３１】
（２）化粧料収容空間２
化粧料収容空間２は、図２及び図４に示すように、シート本体１における面状蓋部１１の内側面に形成された凹状の空間であって化粧料たる口紅が収容されたものとして構成されている。
【００３２】
具体的には、化粧料収容空間２は、これらの図に示すように、複数の貫通孔１０１が設けられた一の片部分５１ａの外側面にこれらの貫通孔１０１を覆うように透明フィルム５３が貼り付けられることにより面状蓋部１１の内側面に形成されている。
【００３３】
ところで、本実施の形態における化粧料収容空間２は、図１に示すように、シート本体１において縦方向に列状配置された複数の化粧料収容空間２である（図５及び図６参照）。
【００３４】
そして、このような化粧料収容空間２は、後述する山折りに係る山折り線を対称軸とする線対称に配置された一組の化粧料収容空間でもある（図５及び図６参照）。
【００３５】
このような化粧料収容空間２により、化粧料を取り出すに当たって必要となる準備的操作をより効率的に実行することが可能となっており、かかる準備的操作における煩雑さ及び困難さをより軽減することが可能となっている。
【００３６】
（３）化粧料取り出し蓋３
化粧料取り出し蓋３は、図１、図５及び図６に示すように、平面視で舌状を呈する摘み部３１と、摘み部３１以外の本体部３２とからなるものであり、摘み部３１を摘み上げて化粧料を取り出し得る状態まで引き剥がすことを可能とされた面状蓋部１１の部分として構成されている。
【００３７】
先ず、摘み部３１は、図１、図２及び図４に示すように、鋭角形状である略三角形に先細りとなって突出するように、透明フィルム５３の外側面から一の片部分５１ａの内側面に達する切り込み３１ａにより画されている。
【００３８】
次に、本体部３２は、これらの図に示すように、貫通孔１０１の周縁部を囲むように、透明フィルム５３の外側面から一の片部分５１ａの内側面に達する切れ目線３２ａにより画されている。
【００３９】
そして、化粧料取り出し蓋３は、図５に示すように、その摘み部３１が、シート本体１が摘み部３１に係る位置で山折りに折り曲げられた状態で面状蓋部１１から片持ち梁状に離れるものとして構成されている。
【００４０】
ここで、この化粧料取り出し蓋３は、本発明において必須の構成要素ではない。すなわち、本発明においては、化粧料シートが、切り込み３１ａにより画された摘み部３１を摘み上げることで化粧料を取り出し得る状態まで引き剥がすことが可能とされたものであればよく、発明の実施の形態における化粧料取り出し蓋３のような画然とした技術的手段を有することまでは要求されない。
【００４１】
また、摘み部３１としては、鋭角形状である略三角形に先細りとなって突出するものに限定されず、鈍角形状である略三角形に先細りとなって突出するもの、略半円形形状に先細りとなって突出するものその他の舌状を呈するものを用いることが可能である。
【００４２】
具体的には、化粧料取り出し蓋３は、図２及び図４に示すように、摘み部３１の先端側及び他の片部分５１ｂの間に接着剤層５２を設けないことで他の片部分５１ｂに対し摘み部３１の先端側を貼り付けないようにし、摘み部３１の先端側以外の部分及び他の片部分５１ｂの間に接着剤層５２を設けることで他の片部分５１ｂに対し摘み部３１の先端側以外の部分を貼り付けるようにしている。
【００４３】
このように、化粧料取り出し蓋３にその摘み部３１が所定の状態で面状蓋部１１から片持ち梁状に離れるものであることを要求するのは、摘み部３１の強度不足や接着剤層５２の過剰な影響などの理由により所定の状態で面状蓋部１１から片持ち梁状に離れないものを排除することにより、使用者が摘み部３１を摘み上げる操作を容易かつ確実に行い得るという本発明の特徴的機能を担保することが可能な化粧料シートとするためである。したがって、このような機能を発揮するものであれば、本発明において摘み部３１の先端側及び他の片部分５１ｂの間には接着剤層５２を設けない化粧料取り出し蓋３の代わりに、摘み部３１の先端側及び他の片部分５１ｂの間にも接着剤層５２を設ける化粧料取り出し蓋その他の化粧料取り出し蓋を用いることが可能である。
【００４４】
本実施の形態における化粧料取り出し蓋３は、図１に示すように、先ず、各化粧料収容空間２毎に設けられた複数の化粧料取り出し蓋３であって、複数の化粧料をそれぞれ別個独立に取り出すことを可能とするものとして構成されている（図５及び図６参照）。
【００４５】
次に、化粧料取り出し蓋３の各摘み部３１は、図１に示すように、略同じ横方向に向かって先細りとなって突出するものとして縦方向に列状配置された複数の摘み部である（図５及び図６参照）。
【００４６】
そして、このような摘み部は、各々が、山折り線から相手方に係る化粧料収容空間の方向に交互に延出するように配置された一組の摘み部でもある（図５及び図６参照）。
【００４７】
ここで、各摘み部３１は、図５に示すように、シート本体１が各摘み部３１の配置方向に沿って各摘み部３１に係る位置で山折りに折り曲げられた状態で面状蓋部１１から片持ち梁状に離れるものとして構成されている。
【００４８】
このような化粧料取り出し蓋３により、化粧料を取り出すに当たって必要となる準備的操作をより効率的に実行することが可能となっており、かかる準備的操作における煩雑さ及び困難さをより軽減することが可能となっている。
【００４９】
ところで、本実施の形態における化粧料シートは、以下のような製造方法を採用しており、三つ折り台紙５１及び透明フィルム５３の有効利用を通じて製造の容易化が図られている（図７参照）。
【００５０】
先ず、複数の貫通孔１０１が設けられた三つ折り台紙５１の外側面の全体に亘って透明フィルム５３を貼り付けることにより一の片部分５１ａ及び一の片部分に係る透明フィルム５３ａからなる面状蓋部１１並びに他の片部分５１ｂ及び他の片部分に係る透明フィルム５３ｂからなる面状底部１２が確保され、面状蓋部１１において化粧料収容空間２が確保される。
【００５１】
続いて、面状蓋部１１において切り込み３１ａによって摘み部３１を画すると共に切れ目線３２ａによって本体部３２を画することにより化粧料取り出し蓋３が確保される。
【００５２】
続いて、一の片部分５１ａ及び他の片部分５１ｂの各内側面上に接着剤層５２をそれぞれ設けると共に各接着剤層５２の表面を剥離紙５２ａにてそれぞれ保護する。
【００５３】
続いて、一の片部分５１ａの内側面を上側に向け、かつ、剥離紙５２ａを剥がした上で、面状蓋部１１の内側面に凹状に形成された化粧料収容空間２内に化粧料としての口紅を充填する。
【００５４】
そして、面状底部１２の内側面を口紅が充填された化粧料収容空間２を覆うように面状蓋部１１の内側面上に折り重ね、かつ、面状蓋部１１及び面状底部１２の対応する内側面同士を貼り合わせることにより本実施の形態における化粧料シートが完成する。
【００５５】
上記したように、本実施の形態に係る化粧料シートによれば、シート本体１が摘み部３１に係る位置で山折りに折り曲げられた状態で摘み部３１が面状蓋部１１から片持ち梁状に離れるようになっているので、使用者は摘み部３１を摘み上げる操作を容易かつ確実に行うことが可能となっている。
【００５６】
したがって、このような化粧料シートによれば、化粧料を取り出すに当たって必要となる準備的操作における煩雑さ及び困難さを相当に軽減することが可能となっている。
【図面の簡単な説明】
【００５７】
【図１】本発明の一実施の形態に係る化粧料シートの開いた状態を示す平面図である。
【図２】図１のＡ-Ａ断面図である。
【図３】同化粧料シートの閉じた状態を示す斜視図である。
【図４】図３のＡ-Ａ断面図である。
【図５】同化粧料シートにおけるシート本体の山折りに折り曲げた状態を示す斜視図である。
【図６】同化粧料シートにおける化粧料取り出し蓋の摘み部３１を摘み上げた状態を示す斜視図である。
【図７】同化粧料シートの製造方法を説明するための平面図である。
【符号の説明】
【００５８】
１ シート本体
２ 化粧料収容空間
３ 化粧料取り出し蓋
１１ 面状蓋部
１２ 面状底部
３１ 摘み部
３１ａ 切り込み
３２ 本体部
３２ａ 切れ目線
５１ 三つ折り台紙
５１ａ 一の片部分
５１ｂ 他の片部分
５１ｃ 別の片部分
５２ 接着剤層
５２ａ 剥離紙
５３ 透明フィルム
５３ａ 一の片部分に係る透明フィルム
５３ｂ 他の片部分に係る透明フィルム
１０１ 貫通孔
【図１】
0004936336.tif 000002
【図２】
0004936336.tif 000003
【図３】
0004936336.tif 000004
【図４】
0004936336.tif 000005
【図５】
0004936336.tif 000006
【図６】
0004936336.tif 000007
【図７】
0004936336.tif 000008